(57)【要約】【課題】角部でなくても摘まめる部分を有し、貼付面の全面を開封しながらも、開封する際に容易に剥離できる重ね合わせシートを提供することを目的とする。【解決手段】折り部により連接した２つの紙片のうち、一つの紙片の折り部と対向する辺側にその1辺に沿う突出領域が形成され、折り線を介して２つの紙片が積層された際に、突出領域がもう一方の紙片に積層されて貼付されることを特徴とする。また、また、本発明は、突出領域の貼付面に剥離容易層を設けたことを特徴とする。【選択図】図１
2016150508.tif 000002
【特許請求の範囲】
【請求項１】
折り部により連接した２つの紙片のうち、一つの紙片の前記折り部と対向する辺側にその1辺に沿う突出領域が形成され、前記折り線を介して前記２つの紙片が積層された際に、前記突出領域がもう一方の紙片に積層されて貼付されることを特徴とする重ね合わせシート
【請求項２】
前記突出領域の貼付面に剥離容易層を設けたことを特徴とする請求項１に記載の重ね合わせシート
【請求項３】
前記突出領域の頂部が、前記もう一方の紙片の前記折り部と対向する辺に重なる位置に形成されていることを特徴とする請求項１及び２に記載の重ね合わせシート
【発明の詳細な説明】
【技術分野】
【０００１】
本発明は、剥離可能に接着されてなる重ね合わせシートに関し、特に、剥離しやすく構成した技術に関する。
【背景技術】
【０００２】
従来より、記載情報を隠蔽し、剥離可能に開封できる隠蔽葉書が用いられている。
【０００３】
図７は、隠蔽葉書の従来技術の一例を示す図である。
【０００４】
本例の隠蔽葉書は、2枚の紙片を剥離可能に貼付しており、1枚の紙片の角部をカットし、もう一方の紙片を露出させることにより、剥離開始部を形成している。（特許文献１参照）
【０００５】
図８は、隠蔽葉書の他の従来技術を示す図である。
【０００６】
本例の隠蔽葉書は、三つ折りの紙片を剥離可能に貼付しており、一つの紙片の1辺を露出させる構造となっている。（特許文献２参照）
【先行技術文献】
【特許文献】
【０００７】
【特許文献１】特開２００３−１６５２８６号公報
【特許文献２】実開平４−２４３８６号公報
【発明の概要】
【発明が解決しようとする課題】
【０００８】
上述したように、角部をカットした隠蔽葉書では、剥離開始部が小さく、また、位置が限定されている為、開封しにくい形状である。また、1辺を露出させている形状では摘まみとなる部分が無い為、結局角部から剥がしていく必要があり、端部から開封する為にカールが生じやすいという問題が生じる。
【０００９】
本発明は、上述したような従来の技術が有する問題点に鑑みてなされたものであって、角部でなくても摘まめる部分を有し、貼付面の全面を開封しながらも、開封する際に容易に剥離できる重ね合わせシートを提供することを目的とする。
【課題を解決するための手段】
【００１０】
上記目的を達成するために本発明は、
折り部により連接した２つの紙片のうち、一つの紙片の折り部と対向する辺側にその1辺に沿う突出領域が形成され、折り線を介して２つの紙片が積層された際に、突出領域がもう一方の紙片に積層されて貼付されることを特徴とする。
【００１１】
上記のように構成された本発明においては、一つの紙片の折り部と対向する辺側に1辺に亘り形成された突出領域により、剥がし部を端部以外にしつつ、貼付面の全面を開封しながらも、開封する際に容易に剥離することができ、カールが生じにくい構造とすることができる。
【００１２】
また、本発明は、突出領域の貼付面に剥離容易層を設けたことを特徴とする。
【００１３】
上記のように構成された本発明においては、剥離する際に突出領域を剥離しやすくなり、突出部を摘まみ、容易に剥離することができる。
【００１４】
また、本発明は、
折りたたんだ際に、突出領域の頂部が、もう一方の紙片の折り部と対向する辺に重なる位置に形成されていることを特徴とする。
【００１５】
上記のように構成された本発明においては、1辺に亘って突出部を設けながらも、段差が生じる面積を減らすことによって、引っかかり等による剥離を低減することができる。
【発明の効果】
【００１６】
本発明によれば、一つの紙片の折り部と対向する辺側に1辺に亘り形成された突出領域により、剥がし部を端部以外にしつつ、貼付面の全面を開封しながらも、開封する際に容易に剥離することができ、カールが生じにくい構造とすることができる。また、突出領域の貼付面に剥離容易層を設けることにより、剥離する際に突出領域を剥離しやすくなり、突出部を摘まみ、容易に剥離することができる。また、折りたたんだ際に、突出領域の頂部が、もう一方の紙片の折り部と対向する辺に重なる位置に形成されることにより、1辺に亘って突出部を設けながらも、段差が生じる面積を減らすことによって、引っかかり等による剥離を低減することができる。
【図面の簡単な説明】
【００１７】
【図１】本発明である重ね合わせシートの実施の一形態の展開状態と重ね合わせ状態を示す図である。
【００１８】
【図２】本発明である重ね合わせシートの二つ目の実施形態を示す図である。
【００１９】
【図３】本発明である重ね合わせシートの三つ目の実施形態を示す図である。
【００２０】
【図４】本発明である重ね合わせシートの四つ目の実施形態を示す図である。
【００２１】
【図５】本発明である重ね合わせシートの五つ目の実施形態を示す図である。
【００２２】
【図６】本発明である重ね合わせシートの六つ目の実施形態を示す図である。
【００２３】
【図７】隠蔽葉書の従来技術の一例を示す図である。
【００２４】
【図８】隠蔽葉書の他の従来技術を示す図である。
【発明を実施するための形態】
【００２５】
以下に、本発明の実施の形態について図面を参照して説明する。図１の（ａ）は、本発明である重ね合わせシートの実施の一形態である隠蔽葉書の展開状態を示し、（ｂ）は（ａ）の紙片を、表示している方向（図中矢印）に重ね合わせた状態を示す図である。
【００２６】
本形態は、図１（ａ）に示すように、第１紙片１２と第２紙片１３が折り部１４により連接され隠蔽葉書１０を形成している。この隠蔽葉書１０の貼付面には、剥離可能な接着層が形成されることにより、折り部１４を介して第１紙片１２と第２紙片１３を剥離可能に貼付できるものであり、その貼付面に付与された情報を隠蔽できるものである。
【００２７】
第２紙片１３の折り部１４とは反対方向の辺側には、その1辺に亘り、一点鎖線で図示されている突出領域１１が形成されている。この突出領域は、角部である領域端部１１２及び１１３と、領域端部１１２及び１１３の中間位置に形成され、領域端部１１２と１１３よりも折り部１４とは反対方向に突出した頂部である突出頂点１１１により形成されている領域である。
【００２８】
この隠蔽葉書１０は、折り部１４を介し、第２紙片１３を表示側に折り畳み、第１紙片１２に重ね合わせることにより、（ｂ）の折り畳み状態となる。その際、突出領域１１の頂部である突出頂点１１１は、第１紙片１２の折り部１４とは反対方向の辺上に位置するように重ねあわされており、第１紙片１２上に存在することになる。
【００２９】
以上のように、一つの紙片の折り部と対向する辺側に1辺に亘り形成された突出領域により、剥がし部を端部以外にしつつ、貼付面の全面を開封しながらも、開封する際に容易に剥離することができ、カールが生じにくい構造とすることができる。
【００３０】
以下に、本発明である重ね合わせシートの二つ目の実施形態について図面を参照し説明する。図２は、本発明である重ね合わせシートの二つ目の実施形態を示す図であり、第１紙片２２上に第２紙片２３が重ね合わされた状態を示した図である。
【００３１】
第一の実施形態と異なる点は、突出領域２１の形状である。突出領域２１は、頂部である突出頂点２１１を含む突出部と、折り部２４とは反対方向に突出した領域端部２１２及び２１３の各々を含むそれぞれの突出部の合計３つの突出部により形成されている点である。
突出頂点２１１と領域端部２１２及び２１３は、折り部２４と反対方向の辺とは重ならないように第１紙片２２上に積層され貼付されている。
【００３２】
突出部の形状としては、領域端部２１２及び２１３の中間に位置する突出頂点２１１から、折り部２４側へ向かう曲線を描き、途中で折り部２４とは反対の方向に方向転換する曲線を描き領域端部２１２及び２１３に繋がる形となる。
【００３３】
以下に、本発明である重ね合わせシートの三つ目の実施形態について図面を参照し説明する。図３は、本発明である重ね合わせシートの三つ目の実施形態を示す図である。
【００３４】
第一の実施形態と異なる点は、突出領域３１、すなわち、領域端部３１２及び３１３と折り部３４とは反対方向に突出した突出頂点３１１を結ぶ領域の貼付面側に、剥離容易層である印刷層３５を設けている点である。この印刷層３５により、剥離する際に突出領域３１を剥離しやすくなり、突出頂点３１１を摘まみ、容易に剥離することができる。
【００３５】
なお、本実施形態では、剥離容易層として印刷層３５を例示したが、剥離容易に形成できる層であれば何でも構わず、シリコーン層でも、その他既知の材料でも構わない。
【００３６】
以下に、本発明である重ね合わせシートの四つ目の実施形態について図面を参照し説明する。図４は、本発明である重ね合わせシートの四つ目の実施形態を示す図である。
【００３７】
本実施形態は、二つ目の実施形態と同一の形状であり、異なる点は、突出領域４１に、三つ目の実施形態と同じ剥離容易層である印刷層４５が設けられている点である。この剥離容易層により、三つ目の実施形態と同様に、容易に剥離することができる。
【００３８】
以下に、本発明である重ね合わせシートの五つ目の実施形態について図面を参照し説明する。図５は、本発明である重ね合わせシートの五つ目の実施形態を示す図であり、第１紙片５２上に第２紙片５３が重ね合わされた状態を示した図である。
【００３９】
本実施形態は、二つ目の実施形態と異なり、領域端部５１２及び５１３の先端部分及び頂部である突出頂点５１１が、第１紙片５２の折り部５４とは反対方向の反対辺５５に位置するように重ね合わされている点が特徴となる。この構成により、1辺に亘って突出部を設けながらも、段差が生じる面積を減らすことによって、引っかかり等による剥離を低減することができる。
【００４０】
以下に、本発明である重ね合わせシートの六つ目の実施形態について図面を参照し説明する。図６は、本発明である重ね合わせシートの六つ目の実施形態を示す図であり、第１紙片６２上に第２紙片６３が重ね合わされた状態を示した図である。
【００４１】
本実施形態では、突出領域６１が突出頂き辺６１４及び６１５を頂部とする２つの突出部により形成されている。突出頂き辺６１４及び６１５は、頂部として先の実施形態一〜五までと異なり、点ではなく、辺として構成されている。この構成により、1辺に亘って突出部を設けながらも、段差が生じる面積を減らすことによって、引っかかり等による剥離を低減することができ、頂部が頂点である時よりもより顕著に引っかかり等による剥離を低減することができる。
【００４２】
なお、本発明の重ね合わせシートの実施の形態として上述６つの実施形態を示したが、一辺に亘り突出領域を形成している形態であれば、突出領域の形状はその他の形状にしても構わない。
【符号の説明】
【００４３】
隠蔽葉書  １０，２０，３０，４０，５０，６０
突出領域  １１，２１，３１，４１，５１,６１
突出頂点  １１１,２１１,３１１,４１１,５１１,
領域端部  １１２,１１３,２１２,２１３,３１２,３１３,４１２,４１３５１２,５１３
突出頂き辺  ６１４,６１５
第１紙片  １２,２２,３２,４２,５２,６２
第２紙片  １３,２３,３３,４３,５３,６３
折り部  １４,２４,３４,４４,５４,６４
折部との反対辺  ５５,５６
【図１】
2016150508.tif 000003
【図２】
2016150508.tif 000004
【図３】
2016150508.tif 000005
【図４】
2016150508.tif 000006
【図５】
2016150508.tif 000007
【図６】
2016150508.tif 000008
【図７】
2016150508.tif 000009
【図８】
2016150508.tif 000010